(57)【要約】【課題】障子を枠体に対して容易に差し込むことのできるサッシを提供する。【解決手段】建物開口部に方形状の枠体１を設け、枠体１の内部に内障子５と外障子４とを引き違い状に納めてなり、内障子５と外障子４はそれぞれ上框５０と下框４０と縦框６０及び召合せ框７０を方形状に框組みした框体２にガラス体３を納めてなり、框体２には上框５０と縦框６０の連結部及び上框５０と召合せ框７０の連結部にそれぞれ上レール２５、２６の幅と略同じ幅の開口を有した端部キャップ８５が設けられ、端部キャップ８５に形成された開口８５ｂの縁部８５ｃは開口８５ｂの内側に向かう下方傾斜状に形成されてなる。【選択図】図１
2006291479.tif 000002
【特許請求の範囲】
【請求項１】
建物開口部に方形状の枠体を設け、該枠体の内部に内障子と外障子とを引き違い状に納めてなり、該内障子と外障子はそれぞれ上框と下框と縦框及び召合せ框を方形状に框組みした框体にガラス体を納めてなるサッシにおいて、
上記框体には上框と縦框の連結部及び上記上框と召合せ框の連結部にそれぞれ上記上レールの幅と略同じ幅の開口を有した端部キャップが設けられ、該端部キャップに形成された上記開口の縁部は開口の内側に向かう下方傾斜状に形成されてなることを特徴とするサッシ。
【請求項２】
上記上枠は内周面の略中央部に上記内障子及び外障子の上面に当接するヒレ部を有した気密ブロックを備え、上記框体の上框と召合せ框の連結部に設けられる端部キャップに形成された上記開口の縁部は上記ヒレ部と当接することを特徴とする請求項１記載のサッシ。
【発明の詳細な説明】
【技術分野】
【０００１】
本発明は、枠体内に内外障子を引き違い状に納めたサッシに関し、特に内外障子の縦框上端に枠体の上レールに案内されるキャップを設けたサッシに関する。
サッシに関する。
【背景技術】
【０００２】
従来から、建物開口部に設けた枠体内に内外障子を引き違い状に納めてなるサッシが広く用いられている。障子は、上下框と縦框及び召合せ框を方形状に框組みしてなる框体の内部にガラス体を納めてなり、枠体の下枠に形成されるレール及び上枠に形成される上レールに案内されて走行自在とされる。
【０００３】
上框と縦框の連結部分と上框と召合せ框の連結部には、それぞれ端部キャップが設けられる。端部キャップには枠体の上レールの幅と略同じ幅の開口が形成されており、この開口に上レールが飲み込まれて障子が案内される。このようなサッシとしては例えば特許文献１に挙げるようなものがある。
【特許文献１】特許第３５０７０３１号公報
【発明の開示】
【発明が解決しようとする課題】
【０００４】
障子を枠体に納める際には、まず框体を傾斜させてその上辺を枠体の上レールに対して差し込み、その状態で框体を直立させて下辺を枠体のレール上に配置する、いわゆる慳貪式が採られる。図１０には、従来のサッシにおいて障子の上框を枠体の上レールに対して差し込む際の縦断面図を示している。この図に示すように従来のサッシにおいては、端部キャップ１０３の開口１０４は、その縁部１０５が略直角状に形成されているため、上框１０２を上枠１００の上レール１０１に対して差し込む際に、障子の傾斜角度をあまり大きくすることができず、また上レール１０１の位置に対して框体の端部キャップ１０３を正確に位置合わせしなければ差し込むことができなかった。このため、障子を枠体に納めるための作業性が悪かった。
【０００５】
本発明は、上記課題を解決すべくなされたものであり、障子を枠体に対して容易に差し込むことのできるサッシを提供することを目的とする。
【課題を解決するための手段】
【０００６】
上記課題を解決するため、本発明に係るサッシは、建物開口部に方形状の枠体を設け、該枠体の内部に内障子と外障子とを引き違い状に納めてなり、該内障子と外障子はそれぞれ上框と下框と縦框及び召合せ框を方形状に框組みした框体にガラス体を納めてなるサッシにおいて、
上記框体には上框と縦框の連結部及び上記上框と召合せ框の連結部にそれぞれ上記上レールの幅と略同じ幅の開口を有した端部キャップが設けられ、該端部キャップに形成された上記開口の縁部は開口の内側に向かう下方傾斜状に形成されてなることを特徴として構成されている。
【０００７】
また、本発明に係るサッシは、上記上枠は内周面の略中央部に上記内障子及び外障子の上面に当接するヒレ部を有した気密ブロックを備え、上記框体の上框と召合せ框の連結部に設けられる端部キャップに形成された上記開口の縁部は上記ヒレ部と当接することを特徴として構成されている。
【発明の効果】
【０００８】
本発明に係るサッシによれば、上框と縦框の連結部及び上框と召合せ框の連結部に設けられる端部キャップに形成された開口の縁部は開口の内側に向かう下方傾斜状に形成されてなることにより、開口となる縁部の下端部よりも縁部の上端部を広くすることができるため、障子の上レールに対する位置合わせを容易に行うことができ、かつ縁部の傾斜面に沿って障子を上レールに対して容易に挿入することができる。
【０００９】
また、本発明に係るサッシによれば、端部キャップの開口の縁部は気密ブロックのヒレ部と当接することにより、傾斜状の縁部を確実に気密することができ、気密性の高いサッシとすることができる。
【発明を実施するための最良の形態】
【００１０】
本発明の実施形態について、図面に沿って詳細に説明する。図１は、本実施形態におけるサッシの縦断面図である。図２は、本実施形態におけるサッシの横断面図である。これら各図に示すように本実施形態におけるサッシは、建物開口部に設けられる枠体１内に外障子４と内障子５を引き違い状に納めてなるものである。
【００１１】
枠体１は、下枠１０上枠２０及び左右の縦枠３０、３０を方形状に枠組みしてなり、それが建物開口部に対して固定されている。枠体１は、その見込方向中間位置に四周に渡って設けられるフィン８が建物躯体に当接し、ビス止めされることで固定されている。すなわち、このサッシはいわゆる半外付けサッシである。また、金属下枠１１の室内面下端部には、室内側に向かって突出する固定部１１ｄが形成されており、この固定部１１ｄも建物躯体に対してビス止めされる。
【００１２】
各枠材は複合材から構成されており、したがって金属材からなる金属下枠１１と金属上枠２１及び左右の金属縦枠３１、３１を方形状に枠組みしてそれが建物躯体７０に対して固定され、金属下枠１１の室内側には樹脂下枠１２を、金属上枠２１の室内側には樹脂上枠２２を、金属縦枠３１の室内側には樹脂縦枠３２を、それぞれ配設して構成される。
【００１３】
下枠１０の上面には、その長手方向略全長に渡って外レール１１ａと内レール１１ｂ及び網戸レール１１ｃが形成されており、外レール１１ａは外障子４を、内レール１１ｂは内障子５を、網戸レール１１ｃは網戸６を、それぞれサッシの長手方向に案内する。また、上枠２０の下面には、その長手方向略全長に渡って外レール２５と内レール２６及び網戸レール２７が形成されている。これらは下枠１０の各レールと対応した位置に形成されており、それぞれ外障子４と内障子５及び網戸６をサッシの長手方向に案内する。
【００１４】
次に、外障子４と内障子５について説明する。これらの障子は、框４０と上框５０と縦框６０及び召合せ框７０とを方形状に框組みしてなる框体２の内部に、ガラス体３を納めてなるものである。そして、框体２は、室外側に金属材を配し、室内側に樹脂材を配した複合材からなるものである。
【００１５】
下框４０は、室外側の金属下框４１と、その室内面に取付けられる樹脂下框４２とから構成されている。下框４０の上部は、長手方向略全長に渡って、グレチャン７を挟持しガラス体３を納めることができるように、凹形状とされた溝状のガラス開口溝４５を形成している。ガラス開口部４５の室外側は金属下框４１、室内側は樹脂下框４２により構成されている。また、ガラス開口部４５の底面は室外側が金属下框４１で、室内側が樹脂下框４２で構成されている。下框４０の下端部には戸車４３が設けられて、枠体１内を走行自在となるようにされている。
【００１６】
上框５０は、室外側の金属上框５１と、その室内面に取付けられる樹脂上框５２とから構成されている。上框５０の下部は、長手方向略全長に渡って、グレチャン７を挟持しガラス体３を納めることができるように、凹形状とされた溝状のガラス開口溝５５を形成している。ガラス開口部５５の室外側は金属上框５１、室内側は樹脂上框５２により構成されている。また、ガラス開口部５５の底面は室外側が金属上框５１で、室内側が樹脂上框５２で構成されている。
【００１７】
縦框６０は、室外側の金属縦框６１と、その室内面に取付けられる樹脂縦框６２とから構成されている。縦框６０の内周面は、長手方向略全長に渡って、グレチャン７を挟持しガラス体３を納めることができるように、凹形状とされた溝状のガラス開口溝６５を形成している。召合せ框７０も、室外側の金属召合せ框７１と、その室内面に取付けられる樹脂召合せ框７２とから構成されていて、内周面は長手方向略全長に渡って、グレチャン７を挟持しガラス体３を納めることができるように、凹形状とされた溝状のガラス開口溝７５を形成している。
【００１８】
内障子５の樹脂召合せ框７２は、その室内面が金属召合せ框７１の室内面と離隔するように形成され、召合せ框７０が中空部を有し断熱性を有するように構成される。一方、外障子４の樹脂召合せ框７２は、障子を閉じた状態では室内側に直接露出しないことから、意匠性を確保するために板状に形成されている。
【００１９】
次に、内障子５を構成する各框の連結構造について説明する。図３には、内障子５を構成する框の分解斜視図を示している。この図に示すように、下框４０は両端部に金属下框４１のみから構成される横連結部４６、４６を有しており、一方の横連結部４６は縦框６０のガラス開口溝６５に、他方の横連結部４６は召合せ框７０のガラス開口溝７５に、それぞれ飲み込まれて連結される。樹脂下框４２は、両端の横連結部４６、４６以外の領域である下框４０の中央部に配置される。
【００２０】
上框５０も同様に、両端部に金属上框５１のみから構成される横連結部５６、５６を有し、一方は縦框６０のガラス開口溝６５に、他方は召合せ框７０のガラス開口溝７５に、それぞれ飲み込まれて連結される。樹脂上框５２は、両端の横連結部５６、５６以外の領域である上框５０の中央部に配置される。
【００２１】
縦框６０は、上下端部が金属縦框６１のみからなる縦連結部６６、６６として構成されている。この縦連結部６６に対して下框４０の横連結部４６及び上框５０の横連結部５６が連結される。また、召合せ框７０も、上下端部が金属召合せ框７１のみからなる縦連結部７６、７６として構成されている。この縦連結部７６に対して下框４０の横連結部４６及び上框５０の横連結部５６が連結される。
【００２２】
図４には、内障子５を構成する各框について、カバー及びキャップを取付けた状態の分解斜視図を示している。下框４０の横連結部４６と上框５０の横連結部５６には、その室内側面を覆うようにそれぞれ内小口カバー８０が設けられる。また、縦框６０の下框４０との縦連結部６６には、その室内側面を覆うように下端ブロック８２が設けられ、召合せ框７０の下框４０との縦連結部６６には、その室内側面を覆うように下端キャップ８３が設けられる。なお、召合せ框７０下端面には、下端キャップ８３より室外側から召合せ框７０の側面にかけて下端ワイパー８４が設けられる。下端ワイパー８４の室外端部には、軟質樹脂からなるヒレ部８４ａが形成されており、これが外障子４の召合せ框７０に当接することで、外障子４と内障子５の下端部における気密性を確保している。
【００２３】
縦框６０の上框５０との縦連結部６６には、その室内側面を覆うように上端ブロック８５が設けられ、召合せ框７０の縦連結部７６には、その室内側面を覆うように上端キャップ８６が設けられる。なお、召合せ框７０の上端面には、上端キャップ８６より室外側に上端ブロック８５が設けられる。
【００２４】
下框４０に内小口カバー８０を設けることなく、樹脂下框４２を金属下框４１の横連結部４６まで設けるとすると、図４に示す内小口カバー８０の上方部分について樹脂下框４２を切り欠く端部加工が必要となる。これに対して内小口カバー８０を横連結部４６に設けると、樹脂下框４２に対する端部加工が不要となる。上框５０についても同様に樹脂上框５２に対する端部加工が不要となる。このように、横連結部４６、５６には内小口カバー８０が設けられることにより、樹脂下框４２及び樹脂上框５２は端部を切欠くなどの加工を必要としないため、寸法精度を充分に確保することができる。
【００２５】
図５には、組立てられた内障子５の斜視図を示している。この図に示すように、下框４０と上框５０の横連結部４６、５６は内小口カバー８０により覆われ、また縦框６０と召合せ框７０の縦連結部６６、７６は下端ブロック８２と下端キャップ８３、上端ブロック８５及び上端キャップ８６により覆われており、室内側に露出しないようにされている。
【００２６】
図６には、内障子５の召合せ框７０上端に取付けられる上端ブロック８５の斜視図を示している。この図に示すように、上端ブロック８５の上面には開口８５ｂが形成されると共に、上枠２０の内レール２６に案内される案内溝８５ｄが形成されている。開口８５ｂの縁部８５ｃは、開口８５ｂの内側に向かう下方傾斜状に形成されている。図５に表れていない反対側の縁部８５ｃも同様に、開口８５ｂの内側に向かう下方傾斜状に形成されている。また、縁部８５ｃは側部も中央方向に向かって傾斜状に形成されている。
【００２７】
内障子５の縦框６０上端に設けられる上端ブロック８５についても同様に、開口８５ｂ及び案内溝８５ｄが形成されると共に、開口８５ｂの縁部８５ｃは、開口８５ｂの内側に向かう下方傾斜状に形成されている。上端ブロック８５に形成された開口８５ｂの縁部８５ｃが、開口８５ｂの内側に向かう下方傾斜状に形成されていることにより、上框５０を上枠２０の内レール２６に挿入しやすくすることができる。
【００２８】
また、図１及び図２に示すように、上枠２０の外レール２５と内レール２６の間の召合せ部分には、外障子４の上框５０と内障子５の上框５０の各上面が当接するヒレ部８７ｂを有した気密ブロック８７が設けられる。図７には、気密ブロック８７の斜視図を示している。この図に示すように、気密ブロック８７は、上枠２０に対して取付けられる基部８７ａと、基部８７ａの下面から下方に向かって突出する面状のヒレ部８７ｂとから構成されている。基部８７ａは硬質樹脂、ヒレ部８７ｂは軟質樹脂からなり、ヒレ部８７ｂが上框５０に当接することにより、気密性及び水密性を確保することができる。
【００２９】
図８は、内障子５を上枠２０の内レール２６に差し込む状態を示した縦断面図である。この図に示すように、内障子５は傾斜した状態で内レール２６に対して下方から差し込まれる。上框５０の外周面に形成されたレール案内溝５８は、内レール２６の幅よりも若干大きな幅で形成されており、一方で上端ブロック８５の開口８５ｂは、内レール２６の幅と略同じ幅となるように形成されている。このため、上端ブロック８５の開口８５ｂから案内溝８５ｄに対して内レール２６を差し込むようにすることで、内障子５を内レール２６に差し込むことができる。
【００３０】
ここで、上端ブロック８５の開口８５ｂの縁部８５ｃは、上述のように内側に向かう下方傾斜状に形成されていることにより、縁部８５ｃの下端部よりも縁部８５ｃの上端部を広くすることができるため、内障子５の内レール２６に対する位置合わせを容易に行うことができる。また、縁部８５ｃの傾斜面を内レール２６に当接させながら挿入することができるので、内障子５を図１０に示す従来のものより大きく傾斜させることができて、作業をより容易にすることができる。
【００３１】
外障子４についても、同様に縦框６０と上框５０との連結部分である上端部及び召合せ框７０の上框５０との連結部分である上端部にそれぞれ上端ブロック８５が設けられ、上端ブロック８５には開口８５ｂが形成されると共に、開口８５ｂの縁部８５ｃは開口８５ｂの内側に向かう下方傾斜状に形成される。図１に示すように、縁部８５ｃの形状は外障子４と内障子５で略同様の形状である。
【００３２】
また、図１に示すように、召合せ框７０の上端ブロック８５は、外障子４に設けられるものは室内側の縁部８５ｃが、内障子５に設けられるものは室外側の縁部８５ｃが、それぞれ上枠２０の気密ブロック８７に形成されたヒレ部８７ａに対して当接する。これによって、上枠２０と上框５０の間の気密性及び水密性を充分に確保することができる。
【００３３】
本実施形態では、金属材の室内側に樹脂材を配設してなる複合サッシに本発明を適用しているが、他の複合サッシの形態にも本発明を適用することができる。図９には、樹脂框の形状が異なる内障子５を上枠２０に差し込む状態を示した縦断面図である。図９の場合には、樹脂上框５２は中央部に小さな中空部を有しているものの、全体としては略板状に形成されている。樹脂下框４２や樹脂縦框６２及び樹脂召合せ框７２についても同様に略板状に形成される。
【００３４】
このようなサッシにおいても、縦框６０と召合せ框７０の上框５０との連結部に設けられる上端ブロック８５には、内レール２６と略同じ幅の開口８５ｂが形成されると共に、開口８５ｂの縁部８５ｃを開口８５ｂの内側に向かう下方傾斜状に形成して、内レール２６に対する内障子５の位置合わせを容易にすると共に、挿入を容易にすることができる。なお、外障子４についても同様に構成することができる。さらに、複合サッシではなく金属サッシや樹脂サッシであっても、同様に上端ブロック８５を構成することができる。
【図面の簡単な説明】
【００３５】
【図１】本実施形態におけるサッシの縦断面図である。
【図２】本実施形態におけるサッシの横断面図である。
【図３】内障子を構成する框の分解斜視図である。
【図４】内障子を構成する框に小口カバー及び端部カバーを取付けた状態の分解斜視図である。
【図５】組立てられた内障子の斜視図である。
【図６】上端ブロックの斜視図である。
【図７】気密ブロックの斜視図である。
【図８】内障子を上枠に差し込む状態を示した縦断面図である。
【図９】樹脂框の形状が異なる内障子を上枠に差し込む状態を示した縦断面図である。
【図１０】従来のサッシにおける内障子を上枠に差し込む状態を示した縦断面図である。
【符号の説明】
【００３６】
１    枠体
２    框体
３    ガラス体
４    外障子
５    内障子
１０    下枠
２０    上枠
２５    外レール
２６    内レール
３０    縦枠
４０    下框
５０    上框
６０    縦框
７０    召合せ框
８５    上端ブロック
８５ｂ  開口
８５ｃ  縁部
８７    気密ブロック
８７ｂ  ヒレ部
【図１】
2006291479.tif 000003
【図２】
2006291479.tif 000004
【図３】
2006291479.tif 000005
【図４】
2006291479.tif 000006
【図５】
2006291479.tif 000007
【図６】
2006291479.tif 000008
【図７】
2006291479.tif 000009
【図８】
2006291479.tif 000010
【図９】
2006291479.tif 000011
【図１０】
2006291479.tif 000012